(57)【特許請求の範囲】
【請求項１】
対向して配置された第１および第２窓板ガラス、これら第１および第２窓板ガラスの周辺部に設けられ、これらを支持する窓枠、および上記第１および第２窓板ガラスが向い合う上記第１および第２窓板ガラスの表面側および上記第１および第２窓板ガラスの間にそれぞれ所定間隔を隔てて設けられ、複数の平行な第１金属線状部に対して複数の平行な第２金属線状部を各々直交させて構成した多数の網目状の第１、第２および第３の金属メッシュを備え、隣り合う金属メッシュ相互間において一の金属メッシュの上記第１および第２金属線状部の各々が他の金属メッシュの上記第１および第２金属線状部の各々と交差する相対交差角度を２０°〜４０°の範囲内とした多重金属メッシュ構造シールド窓。
【請求項２】
隣り合う金属メッシュの間にスペーサを介在させ、これらの金属メッシュの間隔を１．５ｍｍ以上とし、これにより電磁シールドする請求項１記載の多重金属メッシュ構造シールド窓。
【発明の詳細な説明】
【０００１】
【発明の属する技術分野】
この発明は、テンペスト対策または電磁波攻撃等から高いシールド性能を持つ多重メッシュ構造シールド窓に関するものである。
【０００２】
【従来の技術】
図３は従来の１重メッシュ構造シールド窓を示す構成図であり、図において、１は金属メッシュ、２はシールド窓を固定するための窓枠である。
図４は従来の２重メッシュ構造シールド窓を示す構成図であり、図において、５は干渉縞である。
【０００３】
次に動作について説明する。
従来のシールド窓は、例えば、１枚の金属メッシュを窓板ガラスで挟む構成の他に、窓板ガラスに金属膜を蒸着させる構成のものがあった。また、さらに高いシールド性能を得るためには金属メッシュを２重にした構成のものがあった。
図３に示したような、従来の１重メッシュ構造シールド窓においては、採光性が良く干渉縞５が発生することはないが、１枚の金属メッシュでのシールド性能は４０〜５０ｄＢであるため、この図３のようなシールド窓を構成する場合は、それよりも低いシールド性能しか得られない。従って、シールド室機能を確保するための電磁シールド窓としては十分実用的であるが、より高いシールド性能が求められる場合は、金属メッシュを２枚重ねた窓板ガラスを用いる。
このため、従来では図４に示したような、２重メッシュ構造シールド窓が考案されているが、この図４に示すように、２枚の金属メッシュの交差角度が０°に近い場合、干渉縞５が発生してしまう。
【０００４】
【発明が解決しようとする課題】
従来のメッシュ構造シールド窓は以上のように構成されているので、１枚の金属メッシュ１を使った構成では、平面波におけるシールド性能として４０ｄＢ程度の場合には使用可能であるが、６０ｄＢ程度以上の高いシールド性能は得られない。また、シールド性能を高くするために金属メッシュ１を単純に２重にしても干渉縞５が発生するという課題があった。
【０００５】
この発明は上記のような課題を解決するためになされたもので、高いシールド性能を持ち、かつ干渉縞の発生しない多重メッシュ構造シールド窓を得ることを目的とする。
【０００６】
【課題を解決するための手段】
この発明に係る多重メッシュ構造シールド窓は、対向して配置された第１および第２窓板ガラス、これら第１および第２窓板ガラスの周辺部に設けられ、これらを支持する窓枠、および上記第１および第２窓板ガラスが向い合う上記第１および第２窓板ガラスの表面側および上記第１および第２窓板ガラスの間にそれぞれ所定間隔を隔てて設けられ、複数の平行な第１金属線状部に対して複数の平行な第２金属線状部を各々直交させて構成した多数の網目状の第１、第２および第３の金属メッシュを備え、隣り合う金属メッシュ相互間において一の金属メッシュの上記第１および第２金属線状部の各々が他の金属メッシュの上記第１および第２金属線状部の各々と交差する相対交差角度を２０°〜４０°の範囲内としたものである。
【０００７】
この発明に係る多重メッシュ構造シールド窓は、隣り合う金属メッシュの間にスペーサを介在させ、これらの金属メッシュの間隔を１．５ｍｍ以上とし、これにより電磁シールドするものである。
【０００８】
【発明の実施の形態】
以下、この発明の実施の一形態を説明する。
実施の形態１．
図１はこの発明の実施の形態１による２重メッシュ構造シールド窓を示す構成図であり、（ａ）は正面図、（ｂ）は側面図である。図において、１は電気良導体材質からなる金属メッシュであり、その金属メッシュ１を２枚用い、かつ１枚目の金属メッシュ１および２枚目の金属メッシュ１の相対交差角度を４５°±１５°に重畳したものである。２はシールド窓を固定するための窓枠である。３は窓板ガラス、４は金属メッシュ１を一定間隔離して設置するためのスペーサであり、このスペーサ４は、ガラスを用いても良い。
【０００９】
次に動作について説明する。
図１に示したように、平面的平行に間隔をおいて配置してなる２枚または３枚の窓板ガラス３（図１では２枚）の層からなる中空部分に、窓板ガラス３とほぼ同面積の電気良導体材質からなる金属メッシュ１を２枚設置し、かつ１枚目の金属メッシュ１および２枚目の金属メッシュ１の相対交差角度を４５°±１５°に重畳する。
実験により、２重メッシュ構造シールド窓において、１枚目の金属メッシュ１および２枚目の金属メッシュ１の相対交差角度が０°であれば、干渉縞が発生してしまう。干渉縞の発生を抑えるためには、相対交差角度を４５°近傍にすれば良く、４５°±１５°の範囲で干渉縞の発生を抑えることができた。
また、金属メッシュ１の近傍界におけるシールド性能を測定したところ、金属メッシュ１は１枚の場合に、４０〜５０ｄＢであり、２枚を重ねた場合に、６０ｄＢ以上とシールド性能は高くなる。さらに、その２枚の金属メッシュ１を、１．５ｍｍ以上離した方がよりシールド性能が高くなるという結果が得られた。
従って、図１（ｂ）に示したように、２枚の金属メッシュ１を一定間隔離すことでシールド性能を上げることが可能となった。
【００１０】
以上のように、この実施の形態１によれば、金属メッシュ１を２枚とし、かつ１枚目の金属メッシュ１および２枚目の金属メッシュ１の相対交差角度を４５°±１５°に重畳するようにしたので、６０ｄＢ以上の高いシールド性能を持ち、かつ干渉縞の発生しないシールド窓が得られる。
また、１枚目の金属メッシュ１と２枚目の金属メッシュ１との間隔を１．５ｍｍ以上とするようにしたので、さらに高いシールド性能を持つシールド窓が得られる。
【００１１】
実施の形態２．
図２はこの発明の実施の形態２による３重メッシュ構造シールド窓を示す構成図であり、（ａ）は正面図、（ｂ）は側面図である。図において、１は電気良導体材質からなる金属メッシュであり、その金属メッシュ１を３枚用い、かつ１枚目の金属メッシュ１および２枚目の金属メッシュ１の相対交差角度を３０°±１０°に、２枚目の金属メッシュ１および３枚目の金属メッシュ１の相対交差角度をさらに３０°±１０°に重畳したものである。２はシールド窓を固定するための窓枠である。３は窓板ガラス、４は金属メッシュ１を一定間隔離して設置するためのスペーサであり、このスペーサ４は、ガラスを用いても良い。
【００１２】
次に動作について説明する。
図２に示したように、平面的平行に間隔をおいて配置してなる２枚から４枚の窓板ガラス３（図２では２枚）の層からなる中空部分に、窓板ガラス３とほぼ同面積の電気良導体材質からなる金属メッシュ１を３枚設置し、かつ１枚目の金属メッシュ１および２枚目の金属メッシュ１の相対交差角度を３０°±１０°に、２枚目の金属メッシュ１および３枚目の金属メッシュ１の相対交差角度をさらに３０°±１０°に重畳する。
実験により、３重メッシュ構造シールド窓において、１枚目から３枚目の金属メッシュ１の相対交差角度が０°であれば、干渉縞が発生してしまう。干渉縞の発生を抑えるためには、各相対交差角度を３０°近傍にすれば良く、３０°±１０°の範囲で干渉縞の発生を抑えることができた。
また、金属メッシュ１の近傍界におけるシールド性能を測定したところ、金属メッシュ１は１枚の場合に、４０〜５０ｄＢであり、２枚を重ねた場合に、６０ｄＢ以上、３枚を重ねた場合に、１００ｄＢ以上とシールド性能は高くなる。さらに、その３枚の金属メッシュ１を、それぞれ１．５ｍｍ以上離した方がよりシールド性能が高くなるという結果が得られた。
従って、図２（ｂ）に示したように、３枚の金属メッシュ１をそれぞれ一定間隔離すことでシールド性能を上げることが可能となった。
【００１３】
以上のように、この実施の形態２によれば、金属メッシュ１を３枚とし、かつ１枚目の金属メッシュ１および２枚目の金属メッシュ１の相対交差角度を３０°±１０°に、２枚目の金属メッシュ１および３枚目の金属メッシュ１の相対交差角度を３０°±１０°に重畳するようにしたので、１００ｄＢ以上の高いシールド性能を持ち、かつ干渉縞の発生しないシールド窓が得られる。
また、３枚目の金属メッシュ１の間隔を、それぞれ１．５ｍｍ以上とするようにしたので、さらに高いシールド性能を持つシールド窓が得られる。
【００１４】
なお、上記実施の形態１および上記実施の形態２において、金属メッシュ１の素構成線材料の表面仕上げ面の色彩を、黒色、濃灰色、または濃褐色等の暗色とすることによって、いかにもシールド窓であるという違和感が無く、自然な色のシールド窓が得られる。
また、上記実施の形態１および上記実施の形態２において、金属メッシュ１の素構成線材料の直径を、０．１ｍｍ近傍、０．０５〜０．１５ｍｍの範囲であれば、窓として最低限必要な採光性を確保することができ、また、金属メッシュ１の細かさを、１００メッシュ／インチ近傍、５０〜２００メッシュ／インチの範囲であれば、高いシールド性能を持つシールド窓が得られる。
【００１５】
【発明の効果】
以上のように、この発明によれば、対向して配置された第１および第２窓板ガラス、これら第１および第２窓板ガラスの周辺部に設けられ、これらを支持する窓枠、および上記第１および第２窓板ガラスが向い合う上記第１および第２窓板ガラスの表面側および上記第１および第２窓板ガラスの間にそれぞれ所定間隔を隔てて設けられ、複数の平行な第１金属線状部に対して複数の平行な第２金属線状部を各々直交させて構成した多数の網目状の第１、第２および第３の金属メッシュを備え、隣り合う金属メッシュ相互間において一の金属メッシュの上記第１および第２金属線状部の各々が他の金属メッシュの上記第１および第２金属線状部の各々と交差する相対交差角度を２０°〜４０°の範囲内とするように構成したので、１００ｄＢ以上の高いシールド性能を持ち、かつ干渉縞の発生しないシールド窓が得られる効果がある。
【００１６】
この発明によれば、隣り合う金属メッシュの間にスペーサを介在させ、これらの金属メッシュの間隔を１．５ｍｍ以上とし、これにより電磁シールドするように構成したので、高いシールド性能を持つシールド窓が得られる効果がある。
【図面の簡単な説明】
【図１】  この発明の実施の形態１による２重メッシュ構造シールド窓を示す構成図である。
【図２】  この発明の実施の形態２による３重メッシュ構造シールド窓を示す構成図である。
【図３】  従来の１重メッシュ構造シールド窓を示す構成図である。
【図４】  従来の２重メッシュ構造シールド窓を示す構成図である。
【符号の説明】
１  金属メッシュ、２  窓枠、３  窓板ガラス、４  スペーサ。
【図１】
0003844694.tif 000002
【図２】
0003844694.tif 000003
【図３】
0003844694.tif 000004
【図４】
0003844694.tif 000005